(57)【要約】【課題】装填されている印字用紙を交換することなく発行履歴データを印字可能であって、履歴発行用に専用の印字用紙を準備、保管、管理する必要がないサーマルプリンター、およびサーマルプリンターにおける発行履歴データ印字方法を提供する。【解決手段】サーマルヘッドは、印字用紙の幅、および発行履歴データの単一ライン情報における文字・数字の桁数から演算した一桁あたりの大きさの文字・数字を視認可能に発行履歴データを印字可能で、サーマルプリンターによる印字データにもとづく発行履歴データの単一ライン情報における総データドット数Ｔと、印字用紙の幅方向の用紙ドット数Ｙと、を比較し、総データドット数Ｔが用紙ドット数Ｙをこえるときは、発行履歴データの単一ライン情報のそれぞれを印字用紙に二段に分けて印字発行可能とした。【選択図】図３
2015000514.tif 000002
【特許請求の範囲】
【請求項１】
印字用紙の幅方向に複数本の印字用発熱素子を有するサーマルヘッドを備えているとともに、このサーマルヘッドによりこの印字用紙に印字した印字データを発行履歴データとして記憶可能なサーマルプリンターであって、
前記サーマルヘッドは、前記印字用紙の幅、および前記発行履歴データの前記単一ライン情報における文字・数字の桁数から演算した一桁あたりの大きさの文字・数字を視認可能に前記発行履歴データを印字可能であるとともに、
当該サーマルプリンターによる前記印字データにもとづく前記発行履歴データの単一ライン情報における総データドット数と、前記印字用紙の幅方向の用紙ドット数と、を比較し、
前記総データドット数がこの用紙ドット数をこえるときは、前記発行履歴データの前記単一ライン情報のそれぞれを前記印字用紙に二段に分けて印字発行可能であることを特徴とするサーマルプリンター。
【請求項２】
前記総データドット数が前記用紙ドット数以下であるときは、前記発行履歴データの前記単一ライン情報のそれぞれを前記印字用紙にそのまま一段で印字発行可能であることを特徴とする請求項１記載のサーマルプリンター。
【請求項３】
前記サーマルヘッドにおける前記印字用発熱素子は、
前記発行履歴データを視認可能な最小の前記文字・数字で印字することができるドット密度（単位長さあたりの前記印字用発熱素子の数）を有することを特徴とする請求項１または２記載のサーマルプリンター。
【請求項４】
前記発行履歴データの前記単一ライン情報における前記総データドット数は、
前記単一ライン情報における前記文字・数字の桁数と、
前記単一ライン情報における視認可能な前記文字・数字の最小の大きさと、
前記サーマルヘッドにおける前記印字用発熱素子のドット密度と、からこれを演算することを特徴とする請求項１ないし３のいずれかに記載のサーマルプリンター。
【請求項５】
前記印字用紙の前記用紙ドット数は、
前記印字用紙の幅と、
前記単一ライン情報における視認可能な前記文字・数字の最小の大きさと、
前記サーマルヘッドにおける前記印字用発熱素子のドット密度と、からこれを演算することを特徴とする請求項１ないし４のいずれかに記載のサーマルプリンター。
【請求項６】
印字用紙の幅方向に複数本の印字用発熱素子を有するサーマルヘッドを備えているとともに、このサーマルヘッドによりこの印字用紙に印字した印字データを発行履歴データとして記憶可能なサーマルプリンターであって、
前記サーマルヘッドは、前記印字用紙の幅、および前記発行履歴データの前記単一ライン情報における文字・数字の桁数から演算した一桁あたりの大きさの文字・数字を視認可能に前記発行履歴データを印字可能であるとともに、
当該サーマルプリンターにより前記発行履歴データの前記単一ライン情報のそれぞれを一段に印字可能とする前記印字用紙の幅を、
前記発行履歴データの前記単一ライン情報における前記文字・数字の桁数と、
視認可能な最小の前記文字・数字の大きさと、から演算幅として演算し、あるいは、
当該サーマルプリンターにより前記発行履歴データの前記単一ライン情報のそれぞれを一段に印字可能な前記文字・数字の桁数を、
前記印字用紙の幅と、
視認可能な最小の前記文字・数字の大きさと、から演算桁数として演算し、
前記単一ライン情報のそれぞれを一段に印字可能とする前記印字用紙の前記演算幅あるいはこの演算桁数と、
当該サーマルプリンターに装填されている前記印字用紙の実際幅、あるいは前記発行履歴データの前記単一ライン情報の実際桁数と、を比較し、
この実際幅あるいはこの実際桁数が前記演算幅あるいは前記演算桁数をこえるときは、前記発行履歴データの前記単一ライン情報のそれぞれを前記印字用紙に二段に分けて印字発行可能であることを特徴とするサーマルプリンター。
【請求項７】
印字用紙の幅方向に複数本の印字用発熱素子を有するサーマルヘッドを備えているとともに、このサーマルヘッドによりこの印字用紙に印字した印字データを発行履歴データとして記憶可能なサーマルプリンターにおける発行履歴データ印字方法であって、
前記サーマルヘッドは、前記印字用紙の幅、および前記発行履歴データの前記単一ライン情報における文字・数字の桁数から演算した一桁あたりの大きさの文字・数字を視認可能に前記発行履歴データを印字可能であり、
前記サーマルプリンターによる前記印字データにもとづく前記発行履歴データの単一ライン情報における総データドット数と、前記印字用紙の幅方向の用紙ドット数と、を比較し、
前記総データドット数がこの用紙ドット数をこえるときは、前記発行履歴データの前記単一ライン情報のそれぞれを前記印字用紙に二段に分けて印字発行することを特徴とするサーマルプリンターにおける発行履歴データ印字方法。
【請求項８】
印字用紙の幅方向に複数本の印字用発熱素子を有するサーマルヘッドを備えているとともに、このサーマルヘッドによりこの印字用紙に印字した印字データを発行履歴データとして記憶可能なサーマルプリンターにおける発行履歴データ印字方法であって、
前記サーマルヘッドは、前記印字用紙の幅、および前記発行履歴データの前記単一ライン情報における文字・数字の桁数から演算した一桁あたりの大きさの文字・数字を視認可能に前記発行履歴データを印字可能であり、
前記サーマルプリンターにより前記発行履歴データの前記単一ライン情報のそれぞれを一段に印字可能とする前記印字用紙の幅を、
前記発行履歴データの前記単一ライン情報における前記文字・数字の桁数と、
視認可能な最小の前記文字・数字の大きさと、から演算幅として演算し、あるいは、
前記サーマルプリンターにより前記発行履歴データの前記単一ライン情報のそれぞれを一段に印字可能な前記文字・数字の桁数を、
前記印字用紙の幅と、
視認可能な最小の前記文字・数字の大きさと、から演算桁数として演算し、
前記単一ライン情報のそれぞれを一段に印字可能とする前記印字用紙の前記演算幅あるいはこの演算桁数と、
前記サーマルプリンターに装填されている前記印字用紙の実際幅、あるいは前記発行履歴データの前記単一ライン情報の実際桁数と、を比較し、
この実際幅あるいはこの実際桁数が前記演算幅あるいは前記演算桁数をこえるときは、前記発行履歴データの前記単一ライン情報のそれぞれを前記印字用紙に二段に分けて印字発行することを特徴とするサーマルプリンターにおける発行履歴データ印字方法。
【発明の詳細な説明】
【技術分野】
【０００１】
本発明はサーマルプリンター、およびサーマルプリンターにおける発行履歴データ印字方法にかかるもので、とくにサーマルプリンターに装填している印字用紙を、発行履歴データの印字専用用紙に交換することなく、装填している印字用紙にそのまま発行履歴データを印字することができるようにしたサーマルプリンター、およびサーマルプリンターにおける発行履歴データ印字方法に関するものである。
【背景技術】
【０００２】
従来から、各種のプリンターは、ラベルやタグその他の印字用紙に印字したデータの履歴を発行履歴データとして必要なタイミングで印字することにより、印字発行データの確認や各種の管理に活用することができるように構成されている。
たとえば、サーマルプリンターは、構成が簡単で小型化が比較的容易であるため、各種の小売り店において、商品への価格ラベルなどに必要な印字データを印字するとともに、その発行履歴、たとえば発行日時、品名、商品コード、価格および発行枚数などを発行履歴データとして印字発行することにも活用されている。
このサーマルプリンターは、印字用紙の幅方向に複数本の印字用発熱素子を有するサーマルヘッドを備えているとともに、このサーマルヘッドによりこの印字用紙に印字した印字データを発行履歴データとして記憶可能としている。
【０００３】
なお、サーマルプリンターにおけるサーマルヘッドは、その大きさないし幅やドット密度（単位長さあたりの印字用発熱素子の数）が固定化されている構成が一般的であり、したがって、この発行履歴データを印字する際の用紙サイズがそれぞれのサーマルプリンターにおいて、小売り店などが使用する可能性がある印字用紙の最大幅に合わせて、たとえば、幅１００ｍｍなどと固定化されているのが一般的である。
一方、サーマルプリンターを使用する小売り店でのユーザーが使用するデータ印字用の印字用紙は、ユーザーごとにその幅が異なっているのが実情である。
また、ほとんどのユーザーが最大印字幅である１００ｍｍ未満の印字用紙を使用しているため、発行履歴データを印字する際に、その印字用に、幅１００ｍｍの専用用紙を用意（交換）しなければならないという問題がある。
したがって、発行履歴データ印字用の専用用紙を別途保管、管理するなどの手間がかかるという問題がある。
【０００４】
このような問題を解消するために、発行履歴データのレイアウトを印字用紙に合わせて調整したり、より幅狭の印字用紙に印字可能なように印字する文字を縮小することなどの手法も考えられるが、サーマルプリンターのサーマルヘッドにおける印字用発熱素子のドット密度が数種類に固定化されているため、制御が複雑となったり、発行履歴データ自体を視認可能とすることができるか否かが不確定であって、現実的な解決手法ではないという問題がある。
【先行技術文献】
【特許文献】
【０００５】
【特許文献１】特開２００８−１４９６５２号公報
【発明の概要】
【発明が解決しようとする課題】
【０００６】
本発明は以上のような諸問題にかんがみなされたもので、印字データを発行履歴データとして簡易的に印字可能なサーマルプリンター、およびサーマルプリンターにおける発行履歴データ印字方法を提供することを課題とする。
【０００７】
また本発明は、装填されている印字用紙を交換することなく発行履歴データを印字可能なサーマルプリンター、およびサーマルプリンターにおける発行履歴データ印字方法を提供することを課題とする。
【０００８】
また本発明は、履歴発行用に専用の印字用紙を準備、保管、管理する必要がないサーマルプリンター、およびサーマルプリンターにおける発行履歴データ印字方法を提供することを課題とする。
【課題を解決するための手段】
【０００９】
すなわち本発明は、サーマルプリンターによる印字データにもとづく発行履歴データの単一ライン情報における総データドット数、演算幅あるいは演算桁数と、印字用紙の幅方向の用紙ドット数、実際幅あるいは実際桁数と、を比較することに着目したもので、第一の発明は、印字用紙の幅方向に複数本の印字用発熱素子を有するサーマルヘッドを備えているとともに、このサーマルヘッドによりこの印字用紙に印字した印字データを発行履歴データとして記憶可能なサーマルプリンターであって、上記サーマルヘッドは、上記印字用紙の幅、および上記発行履歴データの上記単一ライン情報における文字・数字の桁数から演算した一桁あたりの大きさの文字・数字を視認可能に上記発行履歴データを印字可能であるとともに、当該サーマルプリンターによる上記印字データにもとづく上記発行履歴データの単一ライン情報における総データドット数と、上記印字用紙の幅方向の用紙ドット数と、を比較し、上記総データドット数がこの用紙ドット数をこえるときは、上記発行履歴データの上記単一ライン情報のそれぞれを上記印字用紙に二段に分けて印字発行可能であることを特徴とするサーマルプリンターである。
【００１０】
上記総データドット数が上記用紙ドット数以下であるときは、上記発行履歴データの上記単一ライン情報のそれぞれを上記印字用紙にそのまま一段で印字発行することができる。
【００１１】
上記サーマルヘッドにおける上記印字用発熱素子は、上記発行履歴データを視認可能な最小の上記文字・数字で印字することができるドット密度（単位長さあたりの上記印字用発熱素子の数）を有することができる。
【００１２】
上記発行履歴データの上記単一ライン情報における上記総データドット数は、上記単一ライン情報における上記文字・数字の桁数と、上記単一ライン情報における視認可能な上記文字・数字の最小の大きさと、上記サーマルヘッドにおける上記印字用発熱素子のドット密度と、からこれを演算することができる。
【００１３】
上記印字用紙の上記用紙ドット数は、上記印字用紙の幅と、上記単一ライン情報における視認可能な上記文字・数字の最小の大きさと、上記サーマルヘッドにおける上記印字用発熱素子のドット密度と、からこれを演算することができる。
【００１４】
第二の発明は、印字用紙の幅方向に複数本の印字用発熱素子を有するサーマルヘッドを備えているとともに、このサーマルヘッドによりこの印字用紙に印字した印字データを発行履歴データとして記憶可能なサーマルプリンターであって、上記サーマルヘッドは、上記印字用紙の幅、および上記発行履歴データの上記単一ライン情報における文字・数字の桁数から演算した一桁あたりの大きさの文字・数字を視認可能に上記発行履歴データを印字可能であるとともに、当該サーマルプリンターにより上記発行履歴データの上記単一ライン情報のそれぞれを一段に印字可能とする上記印字用紙の幅を、上記発行履歴データの上記単一ライン情報における上記文字・数字の桁数と、視認可能な最小の上記文字・数字の大きさと、から演算幅として演算し、あるいは、当該サーマルプリンターにより上記発行履歴データの上記単一ライン情報のそれぞれを一段に印字可能な上記文字・数字の桁数を、上記印字用紙の幅と、視認可能な最小の上記文字・数字の大きさと、から演算桁数として演算し、上記単一ライン情報のそれぞれを一段に印字可能とする上記印字用紙の上記演算幅あるいはこの演算桁数と、当該サーマルプリンターに装填されている上記印字用紙の実際幅、あるいは上記発行履歴データの上記単一ライン情報の実際桁数と、を比較し、この実際幅あるいはこの実際桁数が上記演算幅あるいは上記演算桁数をこえるときは、上記発行履歴データの上記単一ライン情報のそれぞれを上記印字用紙に二段に分けて印字発行可能であることを特徴とするサーマルプリンターである。
【００１５】
第三の発明は、第一の発明と同様の、上記総データドット数および上記用紙ドット数を比較するもので、印字用紙の幅方向に複数本の印字用発熱素子を有するサーマルヘッドを備えているとともに、このサーマルヘッドによりこの印字用紙に印字した印字データを発行履歴データとして記憶可能なサーマルプリンターにおける発行履歴データ印字方法であって、上記サーマルヘッドは、上記印字用紙の幅、および上記発行履歴データの上記単一ライン情報における文字・数字の桁数から演算した一桁あたりの大きさの文字・数字を視認可能に上記発行履歴データを印字可能であり、上記サーマルプリンターによる上記印字データにもとづく上記発行履歴データの単一ライン情報における総データドット数と、上記印字用紙の幅方向の用紙ドット数と、を比較し、上記総データドット数がこの用紙ドット数をこえるときは、上記発行履歴データの上記単一ライン情報のそれぞれを上記印字用紙に二段に分けて印字発行することを特徴とするサーマルプリンターにおける発行履歴データ印字方法である。
【００１６】
第四の発明は、第二の発明と同様の、上記実際幅あるいは上記実際桁数および上記演算幅あるいは上記演算桁数を比較するもので、印字用紙の幅方向に複数本の印字用発熱素子を有するサーマルヘッドを備えているとともに、このサーマルヘッドによりこの印字用紙に印字した印字データを発行履歴データとして記憶可能なサーマルプリンターにおける発行履歴データ印字方法であって、上記サーマルヘッドは、上記印字用紙の幅、および上記発行履歴データの上記単一ライン情報における文字・数字の桁数から演算した一桁あたりの大きさの文字・数字を視認可能に上記発行履歴データを印字可能であり、上記サーマルプリンターにより上記発行履歴データの上記単一ライン情報のそれぞれを一段に印字可能とする上記印字用紙の幅を、上記発行履歴データの上記単一ライン情報における上記文字・数字の桁数と、視認可能な最小の上記文字・数字の大きさと、から演算幅として演算し、あるいは、上記サーマルプリンターにより上記発行履歴データの上記単一ライン情報のそれぞれを一段に印字可能な上記文字・数字の桁数を、上記印字用紙の幅と、視認可能な最小の上記文字・数字の大きさと、から演算桁数として演算し、上記単一ライン情報のそれぞれを一段に印字可能とする上記印字用紙の上記演算幅あるいはこの演算桁数と、上記サーマルプリンターに装填されている上記印字用紙の実際幅、あるいは上記発行履歴データの上記単一ライン情報の実際桁数と、を比較し、この実際幅あるいはこの実際桁数が上記演算幅あるいは上記演算桁数をこえるときは、上記発行履歴データの上記単一ライン情報のそれぞれを上記印字用紙に二段に分けて印字発行することを特徴とするサーマルプリンターにおける発行履歴データ印字方法である。
【発明の効果】
【００１７】
本発明によるサーマルプリンター、およびサーマルプリンターにおける発行履歴データ印字方法においては、サーマルプリンターによる印字データにもとづく発行履歴データの単一ライン情報における総データドット数、演算幅あるいは演算桁数と、印字用紙の幅方向の用紙ドット数、実際幅あるいは実際桁数と、を比較するようにしたので、この比較結果に応じて、発行履歴データの単一ライン情報のそれぞれを印字用紙に二段あるいは一段に分けて印字発行可能である。
【００１８】
とくに第一の発明のサーマルプリンターによれば、サーマルプリンターによる印字データにもとづく発行履歴データの単一ライン情報における総データドット数と、印字用紙の幅方向の用紙ドット数と、を比較し、総データドット数が用紙ドット数をこえるときは、発行履歴データの単一ライン情報のそれぞれを印字用紙に二段に分けて印字発行可能としているので、通常の印字データの印字発行用に用いている印字用紙をそのまま使用して発行履歴データを印字することができる。
【００１９】
とくに第二の発明のサーマルプリンターによれば、単一ライン情報のそれぞれを一段に印字可能とする印字用紙の演算幅あるいは演算桁数と、サーマルプリンターに装填されている印字用紙の実際幅あるいは発行履歴データの単一ライン情報の実際桁数と、を比較し、実際幅あるいは実際桁数が演算幅あるいは演算桁数をこえるときは、発行履歴データの単一ライン情報のそれぞれを印字用紙に二段に分けて印字発行可能としているので、通常の印字データの印字発行用に用いている印字用紙をそのまま使用して発行履歴データを印字することができる。
【００２０】
とくに第三の発明のサーマルプリンターにおける発行履歴データ印字方法によれば、第一の発明と同様に、サーマルプリンターによる印字データにもとづく発行履歴データの単一ライン情報における総データドット数と、印字用紙の幅方向の用紙ドット数と、を比較し、総データドット数が用紙ドット数をこえるときは、発行履歴データの単一ライン情報のそれぞれを印字用紙に二段に分けて印字発行するので、通常の印字データの印字発行用に用いている印字用紙をそのまま使用して発行履歴データを印字することができ、発行履歴データ用に専用の幅を有する用紙を準備する必要がない。
【００２１】
とくに第四の発明のサーマルプリンターにおける発行履歴データ印字方法によれば、第二の発明と同様に、単一ライン情報のそれぞれを一段に印字可能とする印字用紙の演算幅あるいは演算桁数と、サーマルプリンターに装填されている印字用紙の実際幅あるいは発行履歴データの単一ライン情報の実際桁数と、を比較し、実際幅あるいは実際桁数が演算幅あるいは演算桁数をこえるときは、発行履歴データの単一ライン情報のそれぞれを印字用紙に二段に分けて印字発行するので、通常の印字データの印字発行用に用いている印字用紙をそのまま使用して発行履歴データを印字することができ、発行履歴データ用に専用の幅を有する用紙を準備する必要がない。
【図面の簡単な説明】
【００２２】
【図１】本発明の実施例によるサーマルプリンター１の概略側面図である。
【図２】同、発行履歴データＰの一例を示す説明図である。
【図３】同、本発明（第一の発明、第三の発明）によるサーマルプリンター１における発行履歴データ印字方法のフローチャート図である。
【図４】同、発行履歴データＰを二段に分けて印字した例を示す説明図である。
【図５】本発明（第二の発明、第四の発明）によるサーマルプリンター１における発行履歴データ印字方法のフローチャート図である。
【発明を実施するための形態】
【００２３】
本発明は、発行履歴データの単一ライン情報における総データドット数、演算幅あるいは演算桁数が、印字用紙の幅方向の用紙ドット数、実際幅あるいは実際桁数をこえるときは、発行履歴データの単一ライン情報のそれぞれを印字用紙に二段に分けて印字発行可能とすることにより、履歴発行用の印字用紙を別途準備する必要がないサーマルプリンター、およびサーマルプリンターにおける発行履歴データ印字方法を実現した。
【実施例】
【００２４】
つぎに本発明（第一の発明、第三の発明）の実施例によるサーマルプリンター、およびサーマルプリンターにおける発行履歴データ印字方法を図１ないし図４にもとづき説明する。
図１は、サーマルプリンター１の概略側面図であって、サーマルプリンター１は、印字用紙（ラベル連続体２）の供給部３と、検出部４と、印字部５と、制御部６と、を有する。
【００２５】
ラベル連続体２は、図１にその平面図を示すように、帯状の台紙７と、台紙７に仮着した複数枚のラベル片８と、を有し、供給部３にロール状に巻かれた状態から、検出部４および印字部５方向に帯状に繰り出される。ラベル片８は、たとえば感熱発色可能なサーマル紙を採用することができる。
なお、ラベル連続体２としては、図示のように台紙７の幅がラベル片８の幅よりも大きな構成のものと、台紙７およびラベル片８のそれぞれの幅が同じ構成のものと、がある。
【００２６】
検出部４は、位置検出センサー９を有し、ラベル連続体２（台紙７）の裏面側に所定ピッチであらかじめ印刷した位置検出用マーク１０を検出して、ラベル連続体２（ラベル片８）と印字部５との相対的位置を検出可能とする。
【００２７】
印字部５は、サーマルヘッド１１およびプラテンローラー１２を有する。
サーマルヘッド１１は、図１にその裏面図（ラベル連続体２側から見た図）に示すように、ラベル連続体２の幅方向に複数本の印字用発熱素子１３を有する。
サーマルヘッド１１およびプラテンローラー１２の間にラベル連続体２を挟持するとともにプラテンローラー１２の回転駆動し、制御部６からサーマルヘッド１１（印字用発熱素子１３）に供給される印字データにもとづき、ラベル連続体２（ラベル片８）に所定情報を印字する。
【００２８】
制御部６は、上述の検出部４および印字部５を制御するとともに、このサーマルヘッド１１によりこのラベル連続体２に印字した印字データを発行履歴データＰとして記憶可能な発行履歴データ記憶領域１４を有する。
【００２９】
図２は、発行履歴データＰの一例を示す説明図であって、発行履歴データＰとしてはたとえば、発行日時、品名、商品コード、価格および発行枚数などの項目がある。もちろん、印字データあるいはデータ管理システムに応じて、任意の項目を選択可能である。
【００３０】
上記サーマルヘッド１１は、後述するように、ラベル連続体２（より具体的には、ラベル片８）の幅Ｗ、および発行履歴データＰの単一ライン情報（図２に示したような、発行履歴データＰの一行分のデータ）における文字・数字の桁数Ｋから演算した一桁あたりの大きさの文字・数字を視認可能に、一行あるいは二行に分けてラベル連続体２のラベル片８上に印字可能である。
なお、視認可能な最小の大きさＳを有する一桁分の文字・数字としては、一般的に、約２ｍｍ角（２ｍｍ×２ｍｍ）／桁程度の大きさである。
また、サーマルヘッド１１における印字用発熱素子１３は、発行履歴データＰを視認可能な最小の大きさＳの文字・数字で印字することができるドット密度Ｄ（単位長さあたりの印字用発熱素子１３の数）を有する。
【００３１】
本発明（第一の発明、第三の発明）においては、サーマルプリンター１による印字データにもとづく発行履歴データＰの単一ライン情報における総データドット数Ｔと、ラベル連続体２の幅方向の用紙ドット数Ｙと、を比較し、総データドット数Ｔがこの用紙ドット数Ｙをこえるときは、発行履歴データＰの単一ライン情報のそれぞれをラベル連続体２に二段に分けて印字発行する。
総データドット数Ｔが用紙ドット数Ｙ以下であるときは、発行履歴データＰの単一ライン情報のそれぞれをラベル連続体２にそのまま一段で印字発行する。
【００３２】
発行履歴データＰの単一ライン情報における総データドット数Ｔは、発行履歴データＰにおけるそれぞれの項目の表示（印字）に必要なドットデータ数の総和であって、単一ライン情報における文字・数字の桁数Ｋと、単一ライン情報における視認可能な文字・数字の最小の大きさＳと、サーマルヘッド１１における印字用発熱素子１３のドット密度Ｄと、からこれを演算する。
たとえば、視認可能な文字・数字の最小の大きさＳは、既述のように、一般的に、約２ｍｍ角（２ｍｍ×２ｍｍ）／桁程度である。
２ｍｍ角を印字可能なドット密度Ｄとしては、たとえば８ドット／ｍｍ（長さ１ｍｍ内に印字用発熱素子１３が８本という密度）がある。
図２に示した発行履歴データＰを例に取って、単一ライン情報における文字・数字の桁数Ｋを、たとえば４０桁とすると、総データドット数Ｔは、
Ｔ＝４０桁×２ｍｍ／桁×８ドット／ｍｍ＝６４０ドット、と演算される。
【００３３】
ラベル連続体２の用紙ドット数Ｙは、ラベル連続体２（ラベル片８）の幅を、その幅方向におけるサーマルヘッド１１の印字用発熱素子１３のドット数に換算したドット数であって、ラベル連続体２の幅Ｗと、単一ライン情報における視認可能な文字・数字の最小の大きさＳと、サーマルヘッド１１における印字用発熱素子１３のドット密度Ｄと、からこれを演算する。
たとえば、視認可能な文字・数字の最小の大きさＳは、既述のように、一般的に、約２ｍｍ角（２ｍｍ×２ｍｍ）／桁程度である。
２ｍｍ角を印字可能なドット密度Ｄとしては、たとえば８ドット／ｍｍ（長さ１ｍｍ内に印字用発熱素子１３が８本という密度）がある。
ラベル連続体２の幅Ｗを、たとえば５０ｍｍとすると、ラベル連続体２の用紙ドット数Ｙは、
Ｙ＝５０ｍｍ×８ドット／ｍｍ＝４００ドット、と演算される。
ラベル連続体２の幅Ｗが、たとえば１００ｍｍとすると、ラベル連続体２の用紙ドット数Ｙは、視認可能な最小の大きさＳの文字・数字、すなわち一般的に、約２ｍｍ角（２ｍｍ×２ｍｍ）／桁程度を印字可能であるという前提の上で、
Ｙ＝１００ｍｍ×８ドット／ｍｍ＝８００ドット、と演算される。
【００３４】
本発明においては、上述のように、印字用発熱素子１３のドット密度Ｄに合わせて、サーマルプリンター１による印字データにもとづく発行履歴データＰの単一ライン情報における総データドット数Ｔ、ラベル連続体２の幅方向の用紙ドット数Ｙ、を制御部６が演算しておくことができる。
【００３５】
こうした構成のサーマルプリンター１を用いて、発行履歴データＰをラベル連続体２のラベル片８上に印字発行する処理について図３および図４にもとづき説明する。
図３は、本発明（第一の発明、第三の発明）によるサーマルプリンター１における発行履歴データ印字方法のフローチャート図であって、ステップＳ１において、サーマルプリンター１に搭載されているラベル連続体２およびサーマルヘッド１１、さらには印字データの情報から、発行履歴データＰの単一ライン情報における総データドット数Ｔ、ラベル連続体２の幅方向の用紙ドット数Ｙを演算する。
具体的には、発行履歴データＰの単一ライン情報における文字・数字の桁数Ｋ、単一ライン情報における視認可能な文字・数字の最小の大きさＳ、サーマルヘッド１１における印字用発熱素子１３のドット密度Ｄ、さらには、ラベル連続体２の幅Ｗという、サーマルプリンター１にあらかじめ定められているそれぞれの数値から、発行履歴データＰの単一ライン情報における総データドット数Ｔ、ラベル連続体２の幅方向の用紙ドット数Ｙを演算する。
【００３６】
つぎのステップＳ２において、総データドット数Ｔと、用紙ドット数Ｙと、を比較し、総データドット数Ｔが用紙ドット数Ｙをこえているか否かを判断する。
総データドット数Ｔが用紙ドット数Ｙをこえるときは、発行履歴データＰの単一ライン情報を一段に印字することができないと判断して、ステップＳ３において、発行履歴データＰの単一ライン情報のそれぞれをラベル連続体２に二段に分けて印字発行する。
図４は、この発行履歴データＰを二段に分けて印字した例を示す説明図である。
【００３７】
ステップＳ２において、総データドット数Ｔが用紙ドット数Ｙ以下であるときは、ステップＳ４において、発行履歴データＰの単一ライン情報のそれぞれをラベル連続体２にそのまま一段で（図２に示した表の一段で）印字する。
【００３８】
かくして、総データドット数Ｔおよび用紙ドット数Ｙの比較という簡易な手法により、発行履歴データＰの単一ライン情報を一段印字あるいは二段印字するようにしたので、通常の印字データを印字するために装填している印字用紙（ラベル連続体２）をそのまま利用して、すなわち、発行履歴データＰ専用の印字用紙に装填し直すことなく、交換の手間はもちろん、低コストで発行履歴データを印字することができる。
【００３９】
上述のように、本実施例においては、発行履歴データＰの単一ライン情報の量ないし桁数Ｋおよびラベル連続体２の幅Ｗをそれぞれ、総データドット数Ｔおよび用紙ドット数Ｙに換算して、一段印字あるいは二段印字の比較判断の基準としているが、本発明においては、発行履歴データＰの単一ライン情報のそれぞれを一段印字可能なラベル連続体２の幅（演算幅Ｗ１）、あるいは発行履歴データＰの単一ライン情報における文字・数字の桁数（演算桁数Ｋ１）そのものを判断基準とすることもできる。
【００４０】
すなわち、本発明（第二の発明、第四の発明）においては、サーマルプリンター１により発行履歴データＰの単一ライン情報のそれぞれを一段に印字可能とするラベル連続体２の幅（演算幅Ｗ１）は、発行履歴データＰの単一ライン情報における文字・数字の桁数（実際桁数Ｋ）と、視認可能な最小の文字・数字の大きさＳと、からこれを演算することができる。
たとえば、単一ライン情報における文字・数字の実際桁数Ｋが、たとえば４０桁であって、視認可能な最小の文字・数字の大きさＳが２ｍｍ角（２ｍｍ×２ｍｍ）／桁であれば、発行履歴データＰの単一ライン情報のそれぞれを一段に印字可能とするラベル連続体２の演算幅Ｗ１は、
Ｗ１＝４０桁×２ｍｍ角（２ｍｍ×２ｍｍ）／桁＝８０ｍｍ、と演算される。
【００４１】
あるいは、本発明（第二の発明、第四の発明）においては、サーマルプリンター１により発行履歴データＰの単一ライン情報のそれぞれを一段に印字可能な文字・数字の桁数（演算桁数Ｋ１）は、ラベル連続体２の幅（実際幅Ｗ）と、視認可能な最小の文字・数字の大きさＳと、からこれを演算することができる。
たとえば、ラベル連続体２の実際幅Ｗが、たとえば５０ｍｍであって、視認可能な最小の文字・数字の大きさＳが２ｍｍ角（２ｍｍ×２ｍｍ）／桁であれば、単一ライン情報のそれぞれを一段に印字可能な文字・数字の演算桁数Ｋ１は、
Ｋ１＝５０ｍｍ÷２ｍｍ角（２ｍｍ×２ｍｍ）／桁＝２５桁、と演算される。
【００４２】
かくして、図３に示したフローチャート図の手順と同様にして、発行履歴データＰをラベル連続体２に印字発行することができる。
すなわち、図５は、本発明（第二の発明、第四の発明）によるサーマルプリンター１における発行履歴データ印字方法のフローチャート図であって、ステップＳ１１において、サーマルプリンター１に搭載されているラベル連続体２およびサーマルヘッド１１、さらには印字データの情報から、発行履歴データＰの単一ライン情報のそれぞれを一段に印字可能とするラベル連続体２の演算幅Ｗ１、あるいは発行履歴データＰの単一ライン情報のそれぞれを一段に印字可能な文字・数字の演算桁数Ｋ１を演算する。
【００４３】
つぎのステップＳ１２において、演算幅Ｗ１（あるいは、演算桁数Ｋ１）と、実際幅Ｗ（あるいは、実際桁数Ｋ）と、を比較し、演算幅Ｗ１（あるいは、演算桁数Ｋ１）が実際幅Ｗ（あるいは、実際桁数Ｋ）がこえているか否かを判断する。
演算幅Ｗ１（あるいは、演算桁数Ｋ１）が実際幅Ｗ（あるいは、実際桁数Ｋ）をこえるときは、発行履歴データＰの単一ライン情報を一段に印字することができないと判断して、ステップＳ１３において、発行履歴データＰの単一ライン情報のそれぞれをラベル連続体２に二段に分けて印字発行する（図４を参照）。
【００４４】
ステップＳ１２において、演算幅Ｗ１（あるいは、演算桁数Ｋ１）が実際幅Ｗ（あるいは、実際桁数Ｋ）以下であるときは、ステップＳ１４において、発行履歴データＰの単一ライン情報のそれぞれをラベル連続体２にそのまま一段で（図２に示した表の一段で）印字する。
【００４５】
かくして、演算幅Ｗ１（あるいは、演算桁数Ｋ１）および実際幅Ｗ（あるいは、実際桁数Ｋ）の比較という簡易な手法により、発行履歴データＰの単一ライン情報を一段印字あるいは二段印字するようにしたので、通常の印字データを印字するために装填している印字用紙（ラベル連続体２）をそのまま利用して、すなわち、発行履歴データＰ専用の印字用紙に装填し直すことなく、交換の手間はもちろん、低コストで発行履歴データを印字することができる。
【符号の説明】
【００４６】
１  サーマルプリンター（実施例、図１）
２  ラベル連続体（印字用紙）
３  供給部
４  検出部
５  印字部
６  制御部
７  帯状の台紙
８  ラベル片（印字用紙）
９  位置検出センサー
１０  位置検出用マーク
１１  サーマルヘッド
１２  プラテンローラー
１３  サーマルヘッド１１の印字用発熱素子
１４  制御部６における発行履歴データ記憶領域
Ｐ    発行履歴データ（図２）
Ｄ    サーマルヘッド１１のドット密度
Ｋ    発行履歴データＰの単一ライン情報（図２に示したような、発行履歴データＰの一行分のデータ）における文字・数字の桁数（実際桁数）
Ｋ１  発行履歴データＰの単一ライン情報のそれぞれを一段に印字可能な文字・数字の演算桁数
Ｓ    一桁分の文字・数字について視認可能な最小の大きさ（一般的に、約２ｍｍ角（２ｍｍ×２ｍｍ）／桁程度の大きさ）
Ｗ    ラベル連続体２（ラベル片８）の幅（実際幅）
Ｗ１  発行履歴データＰの単一ライン情報のそれぞれを一段に印字可能とするラベル連続体２の演算幅
Ｔ    発行履歴データＰの単一ライン情報における総データドット数
Ｙ    ラベル連続体２の幅方向の用紙ドット数
【図１】
2015000514.tif 000003
【図２】
2015000514.tif 000004
【図３】
2015000514.tif 000005
【図４】
2015000514.tif 000006
【図５】
2015000514.tif 000007